【手続補正書】
【提出日】平成19年12月17日(2007.12.17)
【手続補正１】
【補正対象書類名】特許請求の範囲
【補正対象項目名】請求項２
【補正方法】変更
【補正の内容】
【請求項２】
変数ｎに対応付けられた複数個のデータをスムージング処理するためのデータ処理方法であって、
前記複数個のデータそれぞれについて前記変数ｎの値に対応するデータＤｎを当該変数ｎの値に対応させてプロットする工程と、
（ｎ−２）の値に対応するデータＤn-2のプロット点と、（ｎ−１）の値に対応するデータＤn-1のプロット点とを結ぶ線分の傾きＡn-1を算出する第１の算出工程と、
ｎの値に対応するデータＤnのプロット点と、（ｎ＋１）の値に対応するデータＤn+1のプロット点とを結ぶ線分の傾きＡn+1を算出する第２の算出工程と、
（ｎ−１）の値に対応するデータＤn-1のプロット点と、ｎの値に対応するデータＤnのプロット点とを結ぶ線分の傾きＡnが、前記傾きＡn+1とＡn-1との総和平均になるよう前記データＤnを修正する修正工程とを有し、
前記第１の算出工程、第２の算出工程、および修正工程を異なる変数ｎの値について実行し、前記複数個のデータをスムージング処理することを特徴とするデータ処理方法。
【手続補正２】
【補正対象書類名】特許請求の範囲
【補正対象項目名】請求項６
【補正方法】変更
【補正の内容】
【請求項６】
変数ｎに対応付けられた複数個のデータをスムージング処理するためのデータ処理方法であって、
前記複数個のデータそれぞれについて前記変数ｎの値に対応するデータＤｎを当該変数ｎの値に対応させてプロットする工程と、
第１のスムージング処理及び第２のスムージング処理を実行する工程とを有し、
前記第１のスムージング処理は、
（ｎ−２）の値に対応するデータＤn-2のプロット点と、（ｎ−１）の値に対応するデータＤn-1のプロット点とを結ぶ線分の傾きＡn-1を算出する工程と、
ｎの値に対応するデータＤnのプロット点と、（ｎ＋１）の値に対応するデータＤn+1のプロット点とを結ぶ線分の傾きＡn+1を算出する工程と、
（ｎ−１）の値に対応するデータＤn-1のプロット点と、ｎの値に対応するデータＤnのプロット点とを結ぶ線分の傾きＡnが、前記傾きＡn+1とＡn-1との総和平均になるよう前記データＤnを修正する工程とを、異なる変数ｎの値について実行し、
前記第２のスムージング処理は、
（ｎ−１）の値に対応するデータＤn-1のプロット点と、ｎの値に対応するデータＤnのプロット点とを結ぶ線分の傾きＡn-1を算出する工程と、
（ｎ＋１）の値に対応するデータＤn+1のプロット点と、（ｎ＋２）の値に対応するデータＤn+2のプロット点とを結ぶ線分の傾きＡn+1を算出する工程と、
ｎの値に対応するデータＤnのプロット点と、（ｎ＋１）の値に対応するデータＤn+1のプロット点とを結ぶ線分の傾きＡnが、前記傾きＡn+1とＡn-1との総和平均になるよう前記データＤnを修正する工程とを、異なる変数の値について実行することを特徴とするデータ処理方法。
【手続補正３】
【補正対象書類名】特許請求の範囲
【補正対象項目名】請求項１１
【補正方法】変更
【補正の内容】
【請求項１１】
各階調値に対応するパッチをそれぞれ測定することで得られる明度を示す複数の実測データを前記階調値に対応させてプロットし、当該複数の実測データを処理するデータ処理装置であって、
前記複数の実測データの内、連続する４個の前記階調値に対応する実測データの４個プロット点について、隣接するプロット点同士を接続した３本の線分のそれぞれの傾きを算出する算出手段と、
前記３本の線分の内の中央の線分の傾きが、隣接する線分の傾きの平均値となるように前記中央の線分上のプロット点に対応する実測データを修正する修正手段と、
を有することを特徴とするデータ処理装置。
【手続補正４】
【補正対象書類名】特許請求の範囲
【補正対象項目名】請求項１２
【補正方法】変更
【補正の内容】
【請求項１２】
変数ｎに対応付けられた複数個のデータについて前記変数ｎの値に対応するデータＤｎを当該変数ｎの値に対応させてプロットし、当該複数個のデータをスムージング処理するデータ処理装置であって、
（ｎ−２）の値に対応するデータＤn-2のプロット点と、（ｎ−１）の値に対応するデータＤn-1のプロット点とを結ぶ線分の傾きＡn-1を算出する第１算出手段と、
ｎの値に対応するデータＤnのプロット点と、（ｎ＋１）の値に対応するデータＤn+1のプロット点とを結ぶ線分の傾きＡn+1を算出する第２算出手段と、
（ｎ−１）の値に対応するデータＤn-1のプロット点と、ｎの値に対応するデータＤnのプロット点とを結ぶ線分の傾きＡnが、前記第１算出手段及び第２算出手段により算出された前記傾きＡn+1とＡn-1との総和平均になるよう前記データＤnを修正する修正手段とを有し、
前記第１算出手段、第２算出手段、および修正手段は異なる変数ｎの値について実行し、前記複数個のデータをスムージング処理することを特徴とするデータ処理装置。
【手続補正５】
【補正対象書類名】特許請求の範囲
【補正対象項目名】請求項１３
【補正方法】変更
【補正の内容】
【請求項１３】
変数ｎに対応付けられた複数個のデータについて前記変数ｎの値に対応するデータＤｎを当該変数ｎの値に対応させてプロットし、当該複数個のデータをスムージング処理するデータ処理装置であって、
（ｎ−１）の値に対応するデータＤn-1のプロット点と、ｎの値に対応するデータＤnのプロット点とを結ぶ線分の傾きＡn-1を算出する第１算出手段と、
（ｎ＋１）の値に対応するデータＤn+1のプロット点と、（ｎ＋２）の値に対応するデータＤn+2のプロット点とを結ぶ線分の傾きＡn+1を算出する第２算出手段と、
ｎの値に対応するデータＤnのプロット点と、（ｎ＋１）の値に対応するデータＤn+1のプロット点とを結ぶ線分の傾きＡnが、前記第１算出手段及び第２算出手段により算出された前記傾きＡn+1とＡn-1との総和平均になるよう前記データＤnを修正する修正手段とを有し、
前記第１算出手段、第２算出手段、及び修正手段は異なる変数ｎの値について実行し、前記複数個のデータをスムージング処理することを特徴とするデータ処理装置。
【手続補正６】
【補正対象書類名】明細書
【補正対象項目名】０００８
【補正方法】変更
【補正の内容】
【０００８】
本発明の一態様に係るデータ処理方法は以下のような工程を備える。即ち、
変数ｎに対応付けられた複数個のデータをスムージング処理するためのデータ処理方法であって、
前記複数個のデータそれぞれについて前記変数ｎの値に対応するデータＤｎを当該変数ｎの値に対応させてプロットする工程と、
（ｎ−２）の値に対応するデータＤn-2のプロット点と、（ｎ−１）の値に対応するデータＤn-1のプロット点とを結ぶ線分の傾きＡn-1を算出する第１の算出工程と、
ｎの値に対応するデータＤnのプロット点と、（ｎ＋１）の値に対応するデータＤn+1のプロット点とを結ぶ線分の傾きＡn+1を算出する第２の算出工程と、
（ｎ−１）の値に対応するデータＤn-1のプロット点と、ｎの値に対応するデータＤnのプロット点とを結ぶ線分の傾きＡnが、前記傾きＡn+1とＡn-1との総和平均になるよう前記データＤnを修正する修正工程とを有し、
前記第１の算出工程、第２の算出工程、および修正工程を異なる変数ｎの値について実行し、前記複数個のデータをスムージング処理することを特徴とする。
【手続補正７】
【補正対象書類名】明細書
【補正対象項目名】００１０
【補正方法】変更
【補正の内容】
【００１０】
本発明の一態様に係るデータ処理装置は以下のような構成を備える。即ち、
各階調値に対応するパッチをそれぞれ測定することで得られる明度を示す複数の実測データを前記階調値に対応させてプロットし、当該複数の実測データを処理するデータ処理装置であって、
前記複数の実測データの内、連続する４個の前記階調値に対応する実測データの４個プロット点について、隣接するプロット点同士を接続した３本の線分のそれぞれの傾きを算出する算出手段と、
前記３本の線分の内の中央の線分の傾きが、隣接する線分の傾きの平均値となるように前記中央の線分上のプロット点に対応する実測データを修正する修正手段と、
を有することを特徴とする。
【手続補正８】
【補正対象書類名】明細書
【補正対象項目名】００１１
【補正方法】変更
【補正の内容】
【００１１】
本発明の一態様に係るデータ処理装置は以下のような構成を備える。即ち、
変数ｎに対応付けられた複数個のデータについて前記変数ｎの値に対応するデータＤｎを当該変数ｎの値に対応させてプロットし、当該複数個のデータをスムージング処理するデータ処理装置であって、
（ｎ−２）の値に対応するデータＤn-2のプロット点と、（ｎ−１）の値に対応するデータＤn-1のプロット点とを結ぶ線分の傾きＡn-1を算出する第１算出手段と、
ｎの値に対応するデータＤnのプロット点と、（ｎ＋１）の値に対応するデータＤn+1のプロット点とを結ぶ線分の傾きＡn+1を算出する第２算出手段と、
（ｎ−１）の値に対応するデータＤn-1のプロット点と、ｎの値に対応するデータＤnのプロット点とを結ぶ線分の傾きＡnが、前記第１算出手段及び第２算出手段により算出された前記傾きＡn+1とＡn-1との総和平均になるよう前記データＤnを修正する修正手段とを有し、
前記第１算出手段、第２算出手段、および修正手段は異なる変数ｎの値について実行し、前記複数個のデータをスムージング処理することを特徴とする。
【手続補正９】
【補正対象書類名】明細書
【補正対象項目名】００１２
【補正方法】変更
【補正の内容】
【００１２】
本発明の一態様に係るデータ処理装置は以下のような構成を備える。即ち、
変数ｎに対応付けられた複数個のデータについて前記変数ｎの値に対応するデータＤｎを当該変数ｎの値に対応させてプロットし、当該複数個のデータをスムージング処理するデータ処理装置であって、
（ｎ−１）の値に対応するデータＤn-1のプロット点と、ｎの値に対応するデータＤnのプロット点とを結ぶ線分の傾きＡn-1を算出する第１算出手段と、
（ｎ＋１）の値に対応するデータＤn+1のプロット点と、（ｎ＋２）の値に対応するデータＤn+2のプロット点とを結ぶ線分の傾きＡn+1を算出する第２算出手段と、
ｎの値に対応するデータＤnのプロット点と、（ｎ＋１）の値に対応するデータＤn+1のプロット点とを結ぶ線分の傾きＡnが、前記第１算出手段及び第２算出手段により算出された前記傾きＡn+1とＡn-1との総和平均になるよう前記データＤnを修正する修正手段とを有し、
前記第１算出手段、第２算出手段、及び修正手段は異なる変数ｎの値について実行し、前記複数個のデータをスムージング処理することを特徴とする。
本発明によれば、簡単な計算式で、データからノイズ成分を除去できるという効果がある。